(57)【要約】【課題】  燃料タンク内の燃料液面が傾斜しても、蒸発燃料処理装置を利用することでエンジンに燃料を確実に供給できるようにする。【解決手段】  タンク本体１１の燃料の残量が少なくなった状態で、路面の傾斜や旋回の影響でタンク本体１１の燃料がポンプモジュール２６を収納したチャンバー２０と逆方向に偏っても、従来は第２連通路Ｐ２を介してチャンバー２０の外部に戻されていたサブタンク１３内の余剰燃料を、チャンバー２０の外部ではなくチャンバー２０の内部に戻すことで、チャンバー２０の燃料液面４６の低下を防止してポンプモジュール２６によるエンジンへの燃料供給を支障なく行うことができる。特に、サブタンク１３の余剰燃料を重力でチャンバー２０に戻すのではなく、ジェットポンプ３８により積極的に戻すので、チャンバー２０の燃料液面４６が限界値を越えて低下するのを確実に阻止することができる。【選択図】        図２
2007303447.tif 000002
【特許請求の範囲】
【請求項１】
タンク本体（１１）と、
タンク本体（１１）内に収納されたサブタンク（１３）と、
タンク本体（１１）の気相部分（１５）およびサブタンク（１３）の液相部分（１７）を連通させる第１連通路（Ｐ１）と、
サブタンク（１３）の気相部分（１８）およびタンク本体（１１）の液相部分（１４）を連通させる第２連通路（Ｐ２）と、
サブタンク（１３）をキャニスタ（３９）に連通させるチャージ通路（４３）と、
タンク本体（１１）内に配置されて内部にポンプモジュール（２６）を収納するチャンバー（２０）とを備え、
ポンプモジュール（２６）からエンジンに供給される燃料の余剰分の少なくとも一部をサブタンク（１３）に供給する燃料タンクであって、
第２連通路（Ｐ２）をチャンバー（２０）の内部空間に接続し、サブタンク（１３）内の燃料を第２連通路（Ｐ２）を介してチャンバー（２０）に吸引する吸引手段（３８）を設けたことを特徴とする燃料タンク。
【請求項２】
前記吸引手段は、エンジンに供給される燃料の余剰分で作動するジェットポンプ（３８）であることを特徴とする、請求項１に記載の燃料タンク。
【発明の詳細な説明】
【技術分野】
【０００１】
本発明は、タンク本体とサブタンクとを連通路で連通させ、サブタンクとキャニスタとをチャージ通路で連通させた燃料タンクに関する。
【背景技術】
【０００２】
自動車用燃料タンクのメインタンクとは別個に該メインタンクよりも低温環境下に置かれるサブタンクを設け、高温のメインタンクの気相部分から低温のサブタンクの液相部分に蒸発燃料を供給して液化させ、この液化した燃料をメインタンクに戻すことにより、蒸発燃料がチャージされるキャニスタの負荷の軽減するとともに、キャニスタからエンジンの吸気通路にパージされる蒸発燃料を濃度を下げてエンジンの燃焼への影響を軽減するものが、下記特許文献１により公知である。
【０００３】
ところで上記従来のものは、サブタンクの温度がメインタンクの温度よりも低い状態ではメインタンクで発生した蒸発燃料をサブタンクにおいて液化することが可能であるが、サブタンクの温度がメインタンクの温度よりも高い状態では蒸発燃料を液化することができず、従って蒸発燃料の液化を常時可能にするためには冷却装置を用いてサブタンクの温度を低下させる必要があり、冷却装置が消費する電力がバッテリに負担を掛ける問題があった。
【０００４】
そこで本出願人は、特願２００５−３７６０２７号により、タンク本体と、タンク本体内に収納されたサブタンクと、タンク本体の気相部分およびサブタンクの液相部分を連通させる第１連通路と、サブタンクの気相部分およびタンク本体の液相部分を連通させる第２連通路と、サブタンクをキャニスタに連通させるチャージ通路とを備えることで、燃料タンクにおいて発生した蒸発燃料を外気温の状態に関わらずに効果的に液化することが可能な蒸発燃料処理装置を提案した。
【特許文献１】特許第３６５９００５号公報
【発明の開示】
【発明が解決しようとする課題】
【０００５】
ところで、車体への搭載性を高めるために燃料タンクが薄型になり、かつレイアウト上の要請からポンプモジュールがタンク本体の中央部から離れた位置に配置されると、傾斜地走行時や旋回時に傾斜した燃料液面からポンプモジュールが上方に露出して燃料の供給に支障を来す可能性がある。この問題を解決するために、タンク本体内に燃料液面の変動が少ないチャンバーを配置し、このチャンバー内にポンプモジュールを収納することが考えられるが、傾斜地走行状態や旋回状態が継続するとチャンバーの燃料液面が低下してエンジンへの燃料供給が不安定になることが避けられなかった。
【０００６】
本発明は前述の事情に鑑みてなされたもので、燃料タンク内の燃料液面が傾斜しても、蒸発燃料処理装置を利用することでエンジンに燃料を確実に供給できるようにすることを目的とする。
【課題を解決するための手段】
【０００７】
上記目的を達成するために、請求項１に記載された発明によれば、タンク本体と、タンク本体内に収納されたサブタンクと、タンク本体の気相部分およびサブタンクの液相部分を連通させる第１連通路と、サブタンクの気相部分およびタンク本体の液相部分を連通させる第２連通路と、サブタンクをキャニスタに連通させるチャージ通路と、タンク本体内に配置されて内部にポンプモジュールを収納するチャンバーとを備え、ポンプモジュールからエンジンに供給される燃料の余剰分の少なくとも一部をサブタンクに供給する燃料タンクの蒸発燃料放出抑制装であって、第２連通路をチャンバーの内部空間に接続し、サブタンク内の燃料を第２連通路を介してチャンバーに吸引する吸引手段を設けたことを特徴とする燃料タンクが提案される。
【０００８】
また請求項２に記載された発明によれば、請求項１の構成に加えて、前記吸引手段は、エンジンに供給される燃料の余剰分で作動するジェットポンプであることを特徴とする燃料タンクが提案される。
【０００９】
尚、実施の形態の第２ジェットポンプ３８は本発明のジェットポンプあるいは吸引手段に対応する。
【発明の効果】
【００１０】
請求項１の構成によれば、タンク本体の気相部分およびサブタンクの液相部分を第１連通路で連通させ、サブタンクの気相部分およびタンク本体の液相部分を第２連通路で連通させ、かつサブタンクとキャニスタとをチャージ通路で連通させたので、タンク本体の温度が上昇するときは、タンク本体の気相部分に存在できる空気および蒸発燃料の混合気のモル数が減少し、同時に燃料蒸気圧の上昇に伴って液相部分から気相部分に蒸発燃料が発生するため、タンク本体の気相部分の空気および蒸発燃料の混合気は第１連通路を介してサブタンクの液相部分に供給される。サブタンクに供給された空気および蒸発燃料の混合気は、蒸発燃料の分圧がサブタンク内の燃料蒸気圧よりも高いため、その差分がサブタンクの液相部分に液化する。
【００１１】
またタンク本体の温度が下降すると、タンク本体の気相部分に存在できる空気および蒸発燃料の混合気のモル数が増加し、同時に燃料蒸気圧の下降に伴って気相部分の蒸発燃料が液相部分に液化するため、サブタンクの気相部分から空気および蒸発燃料の混合気が第２連通路を介してタンク本体の液相部分に供給される。このとき、サブタンクの気相部分にキャニスタから比較的に蒸発燃料の濃度が低い空気および蒸発燃料の混合気が供給されるため、サブタンクの燃料蒸気圧に応じて液相部分からの蒸発燃料の発生が促進され、燃料成分が変化していわゆる「枯れ」が起こり、サブタンクの燃料蒸気圧が低下する。これにより、タンク本体の温度が上昇したときのサブタンクの液相部分への液化が促進される。
【００１２】
このように、タンク本体の温度が上昇するときはサブタンクにおいて蒸発燃料を液化させ、逆にタンク本体の温度が下降するときはタンク本体において蒸発燃料を液化させるとともに、サブタンクの燃料蒸気圧を低下させることで、その次にタンク本体の温度が上昇したときに、サブタンクにおける蒸発燃料の液化を促進することができる。
【００１３】
タンク本体の燃料の残量が少なくなった状態で路面の傾斜や旋回の影響でタンク本体の燃料がチャンバーと逆方向に偏っても、従来は第２連通路を介してタンク本体に戻されていたサブタンク内の余剰燃料を、タンク本体ではなくチャンバー内に戻すことで、チャンバーの燃料液面の低下を防止してエンジンへの燃料供給を支障なく行うことができる。特に、サブタンクの余剰燃料を重力でチャンバーに戻すのではなく、吸引手段により積極的にチャンバーに戻すので、チャンバーの燃料液面が限界値を越えて低下するのを確実に阻止することができる。
【００１４】
また請求項２の構成によれば、エンジンに供給される燃料の余剰分で作動するジェットポンプで吸引手段を構成したので、特別の駆動源を必要としない簡単な構造でサブタンクの燃料をチャンバー内に吸引することができる。
【発明を実施するための最良の形態】
【００１５】
以下、本発明の実施の形態を、添付の図面に示した本発明の実施例に基づいて説明する。
【００１６】
図１および図２は本発明の実施の形態を示すもので、図１は蒸発燃料処理装置を備えた燃料タンクを後方から見た断面図、図２は燃料液面が右側に偏った状態を示す図である。      
【００１７】
図１に示すように、自動車の燃料タンクＴはタンク本体１１を備えており、タンク本体１１の内部の高い位置に周囲を断熱材１２で覆われたサブタンク１３が設けられる。タンク本体１１の内部は燃料で満たされた液相部分１４と、蒸発燃料で満たされた気相部分１５とに分かれており、燃料の補給あるいは燃料の消費により燃料液面１６が変化すると、液相部分１４の容積および気相部分１５の容積は変化する。サブタンク１３の内部は燃料で満たされた液相部分１７と、蒸発燃料で満たされた気相部分１８とに分かれており、その燃料液面１９は基本的に一定である。
【００１８】
タンク本体１１の内部に上面が解放した容器状のチャンバー２０が配置されており、その内部にフィルター２１、燃料ポンプ２２、ストレーナ２３、プレッシャレギュレータ２４およびリリーフバルブ２５を一体化したポンプモジュール２６が収納される。タンク本体１１の内部空間とチャンバー２０の内部空間とは小さい連通孔で相互に連通しており、タンク本体１１の燃料液面１６とチャンバー２０の燃料液面４６とは基本的に一致するが、タンク本体１１の燃料液面１６が変動してもチャンバー２０の燃料液面４６は変動し難くなっている。
【００１９】
ストレーナ２３から図示せぬエンジン延びるフィードパイプ２７から分岐してチャンバー２０の底部に戻るリターンパイプ２８，２９の途中に前記プレッシャレギュレータ２４およびリリーフバルブ２５が配置される。リリーフバルブ２５の下流でリターンパイプ２８，２９から分岐する燃料補給通路３０がオリフィス３１を介してサブタンク１３の内部に連通する。リリーフバルブ２５およびオリフィス３１間の燃料補給通路３０から分岐する第１ジェットポンプ通路３２の下流端に、タンク本体１１内の燃料をチャンバー２０内に吸引する第１ジェットポンプ３３が設けられる。
【００２０】
タンク本体１１の気相部分１５とサブタンク１３の液相部分１７とは第１連通路Ｐ１によって接続され、サブタンク１３の気相部分１８とタンク本体１１の液相部分１４（実際にはチャンバー２０の液相部分）とは第２連通路Ｐ２によって接続される。第１連通路Ｐ１の中間部分はタンク本体１１の上面から上方に露出しており、その露出部から分岐する蒸発燃料戻し通路３４がフィラーチューブ３５の上端の給油口３６の近傍に接続される。従って、タンク本体１１の気相部分１５は第１連通路Ｐ１の一部と蒸発燃料戻し通路３４とを介して給油口３６の近傍に接続される。蒸発燃料戻し通路３４は、給油口３６からフィラーチューブ３５に給油ガンで燃料を供給するとき、タンク本体１１の気相部分１５の蒸発燃料を給油口３６の近傍に戻し、それを給油ガンから噴出する燃料と共にタンク本体１１内に戻すことで、外気がタンク本体１１内に吸入されるのを防止する機能を有する。チャンバー２０の内部に延びる第２連通路Ｐ２の下流端は、前記第１ジェットポンプ通路３２の中間部から分岐する第２ジェットポンプ通路３７に設けた第２ジェットポンプ３８に接続される。
【００２１】
燃料補給通路３０がサブタンク１３に開口する高さは、第２連通路Ｐ２がサブタンク１３に開口する高さに等しく設定されており、その高さがサブタンク１３の燃料液面１９の高さとなる。尚、燃料補給通路３０がサブタンク１３に開口する高さを、第２連通路Ｐ２がサブタンク１３に開口する高さよりも高くしても良い。
【００２２】
蒸発燃料を吸着可能なキャニスタ３９は、チャージポート４０、パージポート４１およびドレンポート４２を備えており、チャージポート４０はチャージ通路４３によってサブタンク１３の上端に設けたフロートバルブ４４に接続され、パージポート４１はパージ通路４５を介してエンジンの吸気通路（図示せず）に接続され、ドレンポート４２は大気に解放される。
【００２３】
サブタンク１３の燃料液面１９はタンク本体１１の満タン時の燃料液面１６よりも高く、タンク本体１１の燃料液面１６からサブタンク１３の燃料液面１９までの高さＨｐは、第１連通路Ｐ１がサブタンク１３の燃料液面１９下に没する高さＨｐ′よりも大きく設定される。
【００２４】
また第２連通路Ｐ２のチャンバー２０への開口部からタンク本体１１の燃料液面１６までの高さＨｖは、サブタンク１３の燃料液面１９から第１連通路Ｐ１の最高点までの高さＨｖ′よりも小さく設定される。
【００２５】
次に、上記構成を備えた本発明の実施の形態の作用を説明する。
【００２６】
昼間における外気温の上昇に伴って燃料タンクＴの温度も上昇するが、タンク本体１１の温度は断熱材１２に覆われたサブタンク１３の温度よりも高温になるため、タンク本体１１の気相部分１５に存在できる空気および蒸発燃料の混合気のモル数が減少し、同時に燃料蒸気圧の増加に伴ってタンク本体１１の液相部分１４から気相部分１５へと蒸発燃料が発生する。その結果、タンク本体１１の気相部分１５の空気および蒸発燃料の混合気が第１連通路Ｐ１を介してサブタンク１３の液相部分１７に気泡となって放出される（矢印ａ参照）。タンク本体１１から供給される蒸発燃料の分圧は，サブタンク１３に存在する蒸発燃料の分圧よりも高いため、その差分が液化してサブタンク１３の液相部分１７に溶解する。これにより、タンク本体１１の気相部分１５で発生した蒸発燃料のうち、チャージ通路４３を介してキャニスタ３９にチャージされる蒸発燃料の比率を低下させ、キャニスタ３９の小型化を図ることができる。
【００２７】
夜間における外気温の下降に伴って燃料タンクＴの温度も下降するが、タンク本体１１の温度は断熱材１２に覆われたサブタンク１３の温度よりも低温になるため、タンク本体１１の気相部分１５に存在できる混合気のモル数が増加し、同時に燃料蒸気圧の減少に伴ってタンク本体１１の気相部分１５から液相部分１４へと蒸発燃料が液化する。その結果、サブタンク１３の気相部分１８の混合気が第２連通路Ｐ２を介してタンク本体１１の液相部分１４（つまりチャンバー２０）に導入される（矢印ｂ参照）。
【００２８】
このように、タンク本体１１の気相部分１５に発生する負圧でサブタンク１３の気相部分１８の蒸発燃料が吸引されると、キャニスタ３９のドレンポート４２から吸入された外気によって該キャニスタ３９にチャージされていた蒸発燃料がパージされ、パージされた蒸発燃料はチャージ通路４３を介してサブタンク１３の気相部分１８に流入し、そこからタンク本体１１の液相部分１４（つまりチャンバー２０）に戻されて液化する、いわゆるバックパージが可能になる。エンジンの停止中に上記バックパージが行われることで、キャニスタ３９にチャージされている蒸発燃料の量（重量）を低く抑えることができ、これによりエンジンの運転時にキャニスタ３９からエンジンの吸気通路に蒸発燃料をパージする際に、パージ空気中の蒸発燃料の量を少なくしてエンジンの空燃比制御の精度に与える影響を最小限に抑えることができる。
【００２９】
上記バックパージによりキャニスタ３９からサブタンク１３の気相部分１８に供給される混合気は蒸発燃料の濃度が比較的に低いため、サブタンク１３の気相部分１８の燃料蒸気圧に応じて液相部分１７からの蒸発燃料の発生が促進されて燃料成分が変化する現象（いわゆる枯れ）が起こり、サブタンク１３の気相部分１８の燃料蒸気圧が低下する。このようにしてサブタンク１３の気相部分１８の燃料蒸気圧が低下すると、タンク本体１１の温度が上昇したときに、タンク本体１１からサブタンク１３に供給された蒸発燃料の液化を一層効果的に促進することができる。
【００３０】
上記バックパージはサブタンクを持たない従来の燃料タンクにおいても発生するが、その場合にはキャニスタからパージされた比較的に濃度の低い蒸発燃料が燃料タンクに供給されるため、燃料タンクの液相部分に溶解する蒸発燃料の量は比較的に少なくなる。それに対し、本実施例ではキャニスタ３９からパージされた蒸発燃料がサブタンク１３を経由することで濃度を増してタンク本体１１（つまりチャンバー２０）に供給されるため、タンク本体１１の液相部分１４に溶解して回収される蒸発燃料の量は比較的に多くなる。
【００３１】
サブタンク１３の燃料液面１９が第１連通路Ｐ１の開口端よりも低くなると、タンク本体１１から第１連通路Ｐ１を介して供給される蒸発燃料を直接サブタンク１３の液相部分１７に導入できなくなり、また前記液相部分１７の燃料が第２連通路Ｐ２を介してタンク本体１１に戻されなくなり、その燃料が古くなって成分が変化する虞があるため、燃料ポンプ２２からエンジンに供給される燃料の余剰分がプレッシャレギュレータ２４、リリーフバルブ２５、オリフィス３１および燃料補給通路３０を介してサブタンク１３に供給される。燃料補給通路３０から供給された燃料によってサブタンク１３の燃料液面１９が第２連通路Ｐ２の上端の開口部よりも高くなると、余剰の燃料は第２連通路Ｐ２を介してタンク本体１１のチャンバー２０に戻されることで、サブタンク１３の燃料液面１９は常に一定の高さに維持される。
【００３２】
本実施の形態では、タンク本体１１の燃料液面１６からサブタンク１３の燃料液面１９までの高さＨｐは、第２連通路Ｐ２がサブタンク１３の燃料液面１９下に没する高さＨｐ′よりも大きく設定されているが、その技術的な意味は以下のとおりである。
【００３３】
タンク本体１１の気相部分１５から第１連通路Ｐ１を介してサブタンク１３の液相部分１７に蒸発燃料を供給するには、タンク本体１１の気相部分１５およびサブタンク１３の気相部分１８の圧力差が、高さＨｐ′の燃料柱の圧力よりも大きい必要がある。一方、タンク本体１１の気相部分１５およびサブタンク１３の気相部分１８の圧力差が、高さＨｐの燃料柱の圧力よりも大きいと、タンク本体１１の燃料が第２連通路Ｐ２を介してサブタンク１３に逆流してしまう。従って、タンク本体１１からサブタンク１３に燃料が逆流するのを防止しながら、タンク本体１１からサブタンク１３に蒸発燃料を供給するには、Ｈｐ＞Ｈｐ′が成立することが必要である。
【００３４】
タンク本体１１の燃料液面１６からサブタンク１３の燃料液面１９までの高さＨｐは、タンク本体１１の燃料液面１６に応じて変化し、前燃料液面１６はタンク本体１１の満タン時に最も高くなる。従って、タンク本体１１の満タン時にＨｐ＞Ｈｐ′が成立するように設定しておけば、タンク本体１１の液面がどのように変化してもタンク本体１１からサブタンク１３に蒸発燃料を供給することができる。
【００３５】
タンク本体１１の燃料液面１６が所定高さに達するとＨｐ＞Ｈｐ′が成立しなくなる場合には、前記所定高さ以上の燃料液面１６では、タンク本体１１からサブタンク１３に蒸発燃料を供給することができなくなる。しかしながら、燃料液面１６が前記所定高さ以上のときには、気相部分１５の容積も小さくなって蒸発燃料の発生量も少なくなるので、タンク本体１１の燃料液面１６が前記所定高さ以上のときにタンク本体１１からサブタンク１３に蒸発燃料を供給することを断念しても、実用上特に支障はない。
【００３６】
また本実施の形態では、第２連通路Ｐ２のタンク本体１１（つまりチャンバー２０）への開口部からタンク本体１１の燃料液面１６までの高さＨｖが、サブタンク１３の燃料液面１９から第１連通路Ｐ１の最高点までの高さＨｖ′よりも小さく設定されているが、その技術的な意味は以下のとおりである。
【００３７】
サブタンク１３の気相部分１８の圧力がタンク本体１１の気相部分１５の圧力よりも高くなった場合、サブタンク１３の気相部分１８の蒸発燃料を第２連通路Ｐ２を介してタンク本体１１の液相部分１５に供給するには、高さＨｖの燃料柱の圧力に打ち勝つ圧力差が必要である。一方、前記圧力差が高さＨｖ′の燃料柱の圧力よりも大きいと、サブタンク１３の液相部分１７の燃料が第１連通路Ｐ１を介してタンク本体１１に逆流してしまうことになる。従って、サブタンク１３からタンク本体１１ｍに第１連通路Ｐ１を介して燃料が逆流するのを防止しながら、サブタンク１３からタンク本体１１に第２連通路Ｐ２を介して蒸発燃料を供給するには、Ｈｖ＜Ｈｖ′が成立することが必要である。
【００３８】
以上のように、本実施の形態によれば、タンク本体１１の温度が上昇するときは、タンク本体１１の気相部分１５の蒸発燃料を第１連通路Ｐ１を介して低温のサブタンク１３の液相部分１７に供給して液化させ、またタンク本体１１の温度が下降するときはサブタンク１３の気相部分１８の蒸発燃料を第２連通路Ｐ２を介して低温のタンク本体１１の液相部分１４に供給して液化させることで、タンク本体１１およびサブタンク１３の温度状態がいかなる場合でも蒸発燃料の発生を効果的に抑制することができる。その結果、キャニスタ３９の容量を小さくしても蒸発燃料の大気への放散を阻止することが可能になるだけでなく、キャニスタ３９からエンジンの吸気系にパージされる蒸発燃料を減少させてエンジンの空燃比制御の精度を高めることができる。
【００３９】
さて、図２に示すように、タンク本体１１の燃料の残量が少なくなった状態で路面の傾斜や旋回の影響でタンク本体１１の燃料が右側に偏ると、左側にあるチャンバー２０の燃料液面４６が鎖線で示すように低くなり、ポンプモジュール２６によるエンジンへの燃料供給に支障を来す可能性がある。そこで本実施の形態では、従来は第２連通路Ｐ２を介してチャンバー２０の外部に戻されていたサブタンク１３内の余剰燃料を、チャンバー２０の外部ではなくチャンバー２０の内部に戻すようにしたので、チャンバー２０の燃料液面４６の高さを実線で示すように強制的に高い位置に維持し、エンジンへの燃料供給を支障なく行うことができる。
【００４０】
特に、サブタンク１３内の余剰燃料を重力でチャンバー２０に戻すのではなく、第２ジェットポンプ３８により積極的に吸引してチャンバー２０に戻すので、タンク本体１１内の燃料をチャンバー２０内に吸引する第１ジェットポンプ３３を第２ジェットポンプ３８で補助し、チャンバー２０の燃料液面４６が限界値を越えて低下するのを確実に阻止することができる。しかも第２ジェットポンプ３８はポンプモジュール２６からエンジンに供給する燃料の余剰分で作動するので、特別の駆動源が不要になって構造を簡素化することができる。
【００４１】
以上、本発明の実施の形態を説明したが、本発明はその要旨を逸脱しない範囲で種々の設計変更を行うことが可能である。
【００４２】
例えば、実施の形態ではサブタンク１３およびチャンバー２０が左右方向に離間して配置されているが、前後方向に離間して配置されていても良い。
【図面の簡単な説明】
【００４３】
【図１】蒸発燃料処理装置を備えた燃料タンクを後方から見た断面図
【図２】燃料液面が右側に偏った状態を示す図
【符号の説明】
【００４４】
１１        タンク本体
１３        サブタンク
１４        液相部分
１５        気相部分
１７        液相部分
１８        気相部分
２０        チャンバー
２６        ポンプモジュール
３８        第２ジェットポンプ（ジェットポンプ、吸引手段）
３９        キャニスタ
４３        チャージ通路
Ｐ１        第１連通路
Ｐ２        第２連通路
【図１】
2007303447.tif 000003
【図２】
2007303447.tif 000004